(57)【要約】【課題】利用者がサービスカット階に設定されている階でかごから降りてしまった場合に、簡単な構成で外部への通報を行うことができるエレベータ装置を提供する。【解決手段】エレベータ装置は、乗場釦１５、設定部１８、判定部２１及び通報部２２を備える。設定部１８は、サービスカット階を設定する。判定部２１は、乗場釦１５に対して呼びを登録するための操作が行われた場合に、乗場釦１５が設けられている階が設定部１８によってサービスカット階に設定されているか否かを判定する。通報部２２は、サービスカット階に設定されていると判定部２１によって判定された場合に、外部への通報を行う。【選択図】図２
2017024827.tif 000002
【特許請求の範囲】
【請求項１】
エレベータの乗場に設けられた呼び入力装置と、
サービスカット階を設定する設定手段と、
前記呼び入力装置に対して呼びを登録するための操作が行われた場合に、前記呼び入力装置が設けられている階が前記設定手段によってサービスカット階に設定されているか否かを判定する判定手段と、
サービスカット階に設定されていると前記判定手段によって判定された場合に、外部への通報を行う通報手段と、
を備えたエレベータ装置。
【請求項２】
前記呼び入力装置に対して呼びを登録するための操作が行われた場合に、前記呼び入力装置が設けられている階が前記設定手段によってサービスカット階に設定されていなければ、呼びを登録する呼び登録手段を更に備えた請求項１に記載のエレベータ装置。
【発明の詳細な説明】
【技術分野】
【０００１】
この発明は、エレベータ装置に関する。
【背景技術】
【０００２】
特許文献１に、全階をサービスカット階に設定可能なエレベータ装置が記載されている。サービスカット階は、エレベータによるサービスを行わない階のことである。利用者がかご内でサービスカット階に設定された階の行先釦を押しても、かご呼びは登録されない。利用者がサービスカット階に設定された階の乗場で乗場釦を押しても、乗場呼びは登録されない。特許文献１に記載されたエレベータ装置では、全階が一斉にサービスカット階に設定される。全階が一斉にサービスカット階に設定されると、かご内への閉じ込めを防止するため、予め指定された階までかごを移動させ、ドアを開放させている。
【先行技術文献】
【特許文献】
【０００３】
【特許文献１】特開平５−３１９７０２号公報
【発明の概要】
【発明が解決しようとする課題】
【０００４】
エレベータ装置では、何らかの理由によってサービスカット階に設定されている階でドアが開いてしまうことがある。また、サービスカット階に設定されている階では、例えばセキュリティ上の制約から、エレベータの乗場から非常階段までの経路が閉ざされていることがある。このような乗場に利用者が降りてしまうと、利用者は乗場で身動きがとれなくなってしまう。エレベータの保守会社への連絡先がかご内にしか掲載されていない場合は、利用者は保守会社に連絡することもできない。
【０００５】
この発明は、上述のような課題を解決するためになされた。この発明の目的は、利用者がサービスカット階に設定されている階でかごから降りてしまった場合に、簡単な構成で外部への通報を行うことができるエレベータ装置を提供することである。
【課題を解決するための手段】
【０００６】
この発明に係るエレベータ装置は、エレベータの乗場に設けられた呼び入力装置と、サービスカット階を設定する設定手段と、呼び入力装置に対して呼びを登録するための操作が行われた場合に、呼び入力装置が設けられている階が設定手段によってサービスカット階に設定されているか否かを判定する判定手段と、サービスカット階に設定されていると判定手段によって判定された場合に、外部への通報を行う通報手段と、を備える。
【発明の効果】
【０００７】
この発明に係るエレベータ装置であれば、利用者がサービスカット階に設定されている階でかごから降りてしまった場合に、簡単な構成で外部への通報を行うことができる。
【図面の簡単な説明】
【０００８】
【図１】この発明の実施の形態１におけるエレベータ装置の構成例を示す図である。
【図２】この発明の実施の形態１におけるエレベータ装置の構成例を示す図である。
【図３】この発明の実施の形態１におけるエレベータ装置の動作例を示すフローチャートである。
【図４】制御装置のハードウェア構成を示す図である。
【発明を実施するための形態】
【０００９】
添付の図面を参照し、本発明を説明する。重複する説明は、適宜簡略化或いは省略する。各図において、同一の符号は同一の部分又は相当する部分を示す。
【００１０】
実施の形態１．
図１及び図２は、この発明の実施の形態１におけるエレベータ装置の構成例を示す図である。エレベータのかご１は、昇降路２を上下に移動する。昇降路２は、例えばビル等に形成された上下に延びる空間である。かご１及びつり合いおもり３は、主ロープ４によって昇降路２に吊り下げられる。つり合いおもり３は、昇降路２を上下に移動する。かご１及びつり合いおもり３を吊り下げるためのローピングの方式は、図１に示す例に限定されない。
【００１１】
主ロープ４は、巻上機の駆動綱車５に巻き掛けられる。駆動綱車５の回転及び停止は、制御装置６によって制御される。駆動綱車５が回転すると、駆動綱車５が回転する方向に応じた方向に主ロープ４が移動する。主ロープ４が移動する方向に応じて、かご１が上昇或いは下降する。つり合いおもり３は、かご１が移動する方向とは反対の方向に移動する。制御装置６に通信装置７が接続される。
【００１２】
かご１は、例えばかごドア８、ドア駆動装置９及び操作盤１０を備える。かごドア８は、かご１に形成された出入口を開閉する。ドア駆動装置９は、かごドア８を開閉するための駆動力を発生させる。ドア駆動装置９の制御、即ちかごドア８の開閉制御は、制御装置６によって行われる。
【００１３】
操作盤１０は、利用者がかご１内で種々の要求を入力するための装置である。操作盤１０は、例えば行先釦１１、ドア開釦１２及びドア閉釦１３を備える。操作盤１０には、かご１が停止する各階に対応した行先釦１１が備えられる。図１及び図２は、かご１が１階から４階の乗場１４に停止する例を示す。このため、図１及び図２に示す例では、操作盤１０に、１階から４階に対応した行先釦１１が設けられる。行先釦１１が押されると、操作盤１０から制御装置６に対してかご呼びの登録要求が送信される。
【００１４】
かご１が停止する各階の乗場１４に、乗場釦１５が設けられる。乗場釦１５は、例えば上方向を示す上方向釦１５ａと下方向を示す下方向釦１５ｂとを備える。乗場釦１５は、乗場１４に設けられた呼び入力装置の一例である。呼び入力装置は、利用者が乗場１４において呼びを登録するための操作を行う装置である。本実施の形態に示す例では、利用者は、呼びを登録するための操作として上方向釦１５ａ或いは下方向釦１５ｂを押す。乗場釦１５が押されると、乗場釦１５から制御装置６に対して乗場呼びの登録要求が送信される。なお、呼び入力装置として、利用者が行先階を入力可能な装置を乗場１４に設けても良い。
【００１５】
特定の乗場１４に、エレベータ装置の管理者等がサービスカット階を入力するための入力装置１６が設けられる。図１及び図２は、１階の乗場１４に入力装置１６を設ける例を示す。なお、各乗場１４に入力装置１６を設けても良い。かご１の内部に入力装置１６を設けても良い。入力装置１６を設ける場所は、上記例に限定されない。入力装置１６に対してサービスカット階を設定するための操作が行われると、入力装置１６から制御装置６に対してサービスカット階の設定要求が送信される。例えば、エレベータ装置の管理者等は、専用のキー或いはカードキー等を用いることにより、かご１が停止する階毎にサービスカット階の設定要求を送信することができる。
【００１６】
制御装置６は、例えば記憶部１７、設定部１８、呼び登録部１９、動作制御部２０、判定部２１及び通報部２２を備える。以下に、図３も参照し、本エレベータ装置が有する機能について具体的に説明する。図３は、この発明の実施の形態１におけるエレベータ装置の動作例を示すフローチャートである。
【００１７】
制御装置６では、乗場釦１５が押されたか否かが判定される（Ｓ１０１）。制御装置６では、乗場釦１５から乗場呼びの登録要求を受信することにより、乗場釦１５が押されたことを判定する（Ｓ１０１のＹｅｓ）。ある階の乗場１４に設けられた乗場釦１５が押されると、判定部２１は、押された乗場釦１５が設けられている階がサービスカット階に設定されているか否かを判定する（Ｓ１０２）。
【００１８】
設定部１８は、サービスカット階を設定する。設定部１８は、入力装置１６からの設定要求に基づいてサービスカット階の設定を行う。例えば、エレベータ装置の管理人等が入力装置１６に対して３階をサービスカット階に設定するための操作を行った場合を考える。かかる場合、３階をサービスカット階に設定するための設定要求が入力装置１６から制御装置６に送信される。設定部１８は、制御装置６が受信した設定要求に基づいて３階をサービスカット階に設定する。設定部１８が設定したサービスカット階の情報は、例えば記憶部１７に記憶される。
【００１９】
サービスカット階は、エレベータによるサービスを行わない階のことである。利用者がサービスカット階に設定されている階の乗場１４で乗場釦１５を押しても、乗場呼びは登録されない。例えば、３階がサービスカット階に設定されている場合、利用者が３階の乗場１４で乗場釦１５を押しても、３階の乗場呼びは登録されない。また、利用者がかご１内でサービスカット階に設定されている階の行先釦１１を押しても、かご呼びは登録されない。例えば、３階がサービスカット階に設定されている場合、利用者がかご１内で３階の行先釦１１を押しても、３階のかご呼びは登録されない。
【００２０】
例えば、３階がサービスカット階に設定されている場合、利用者が４階の乗場１４で乗場釦１５を押すと、判定部２１は、乗場釦１５が押された階がサービスカット階に設定されていないことを判定する（Ｓ１０２のＮｏ）。乗場釦１５が押された階がサービスカット階に設定されていない場合、呼び登録部１９は、登録要求に応じた乗場呼びを登録する（Ｓ１０３）。例えば、利用者が４階の乗場１４で乗場釦１５を押すと、呼び登録部１９は４階の乗場呼びを登録する。
【００２１】
呼び登録部１９によって乗場呼びが登録されると、動作制御部２０は、登録された乗場呼びにかご１を応答させる。例えば、動作制御部２０は、４階の乗場呼びが登録されると、巻上機に対して制御指令を出力する。これにより、駆動綱車５が巻上機によって駆動され、かご１が４階の乗場１４に停止する。動作制御部２０は、かご１が４階の乗場１４に停止する際に、ドア駆動装置９に対して制御指令を出力する。これにより、かごドア８がドア駆動装置９によって駆動され、かごドア８及び４階の乗場１４の乗場ドア２３が開放される。また、かごドア８及び４階の乗場１４の乗場ドア２３は、一定時間が経過した後に閉じられる。
【００２２】
また、押された行先釦１１に対応する階がサービスカット階に設定されていない場合、呼び登録部１９は、登録要求に応じたかご呼びを登録する。例えば、３階がサービスカット階に設定されている場合、利用者がかご１内で４階の行先釦１１を押すと、呼び登録部１９は４階のかご呼びを登録する。
【００２３】
呼び登録部１９によってかご呼びが登録されると、動作制御部２０は、登録されたかご呼びにかご１を応答させる。例えば、動作制御部２０は、４階のかご呼びが登録されると、巻上機に対して制御指令を出力する。これにより、駆動綱車５が巻上機によって駆動され、かご１が４階の乗場１４に停止する。動作制御部２０は、かご１が４階の乗場１４に停止する際に、ドア駆動装置９に対して制御指令を出力する。これにより、かごドア８がドア駆動装置９によって駆動され、かごドア８及び４階の乗場１４の乗場ドア２３が開放される。また、かごドア８及び４階の乗場１４の乗場ドア２３は、一定時間が経過した後に閉じられる。
【００２４】
一方、何らかの理由によってかご１がサービスカット階に設定されている３階の乗場１４に停止した場合を考える。かご１が停止したために利用者が自分の行先階（４階）だと勘違いして乗場１４に降りてしまうと、利用者は３階の乗場１４に取り残されてしまう。このような場合、利用者は、かご１を３階の乗場１４に呼び寄せようとして、３階の乗場１４で乗場釦１５を押す。これにより、乗場釦１５が押されたことが判定される（Ｓ１０１のＹｅｓ）。また、乗場釦１５が押された階がサービスカット階に設定されていることが判定部２１によって判定される（Ｓ１０２のＹｅｓ）。
【００２５】
上述したように、サービスカット階に設定されている３階の乗場１４で乗場釦１５が押されても、呼び登録部１９は乗場呼びを登録しない。乗場釦１５が押された階がサービスカット階に設定されていることが判定部２１によって判定されると、通報部２２は外部への通報を行う（Ｓ１０４）。これにより、例えば通信装置７からエレベータ装置の保守会社に救助信号が送信される。救助信号の送信先は、エレベータ装置の保守会社に限定されない。例えば、通信装置７からビルの管理人室に救助信号を送信しても良い。
【００２６】
上記構成を有するエレベータ装置であれば、利用者がサービスカット階に設定されている階でかご１から降りてしまった場合に、簡単な構成で外部への通報を行うことができる。利用者がサービスカット階に設定されている階で意図せずにかご１から降りてしまった場合、利用者は、かご１に再度乗ろうとして乗場釦１５を押す。制御装置６は、利用者によるこの動作を検出して外部に通報を行うことができる。
【００２７】
本実施の形態において、符号１７〜２２に示す各部は、制御装置６が有する機能を示す。図４は、制御装置６のハードウェア構成を示す図である。制御装置６は、ハードウェア資源として、例えば入出力インターフェース２４とプロセッサ２５とメモリ２６とを含む回路を備える。記憶部１７が有する機能はメモリ２６によって実現される。また、制御装置６は、メモリ２６に記憶されたプログラムをプロセッサ２５によって実行することにより、各部１８〜２２が有する各機能を実現する。各部１８〜２２が有する各機能の一部又は全部をハードウェアによって実現しても良い。
【符号の説明】
【００２８】
１  かご、  ２  昇降路、  ３  つり合いおもり、  ４  主ロープ、  ５  駆動綱車、  ６  制御装置、  ７  通信装置、  ８  かごドア、  ９  ドア駆動装置、  １０  操作盤、  １１  行先釦、  １２  ドア開釦、  １３  ドア閉釦、  １４  乗場、  １５  乗場釦、  １６  入力装置、  １７  記憶部、  １８  設定部、  １９  呼び登録部、  ２０  動作制御部、  ２１  判定部、  ２２  通報部、  ２３  乗場ドア、  ２４  入出力インターフェース、  ２５  プロセッサ、  ２６  メモリ
【図１】
2017024827.tif 000003
【図２】
2017024827.tif 000004
【図３】
2017024827.tif 000005
【図４】
2017024827.tif 000006